(57)【要約】【課題】森林施業の提案内容に変更がある場合に、迅速に森林の主要者に再提案できる森林施業提案装置を提供する。【解決手段】森林施業提案装置１０は、タッチパネルセンサ２６により顧客所有の森林における間伐材の本数が修正されると、プロセッサ１２が修正後の間伐材の本数に基づいて、売上金額を修正する。表示装置２４は、修正後の売上金額を表示する。【選択図】図１
2015219694.tif 000002
【特許請求の範囲】
【請求項１】
樹種毎の材積式、または樹種毎の材積テーブル、前記樹種毎の材積に関する間伐材の単価を記憶する第１記憶手段と、
顧客所有の森林に対するプロット調査で得られた立木の本数、直径、樹高を含むプロット調査データ、並びに前記顧客所有の間伐対象の森林面積を入力する入力手段と、
前記プロット調査データ及び前記森林面積を記憶する第２記憶手段と、前記プロット調査データと、前記森林面積と、前記材積式または材積テーブルに基づく材積と、前記単価に基づいて前記顧客所有の森林における間伐材による売上金額を算出する算出手段と、
前記算出手段が算出した売上金額を表示する表示手段とを備え、
前記入力手段により、前記顧客所有の森林における間伐材の本数が修正された場合、前記算出手段は、修正後の間伐材の本数に基づいて、前記売上金額を修正し、前記表示手段は、修正後の売上金額を表示する森林施業提案装置。
【請求項２】
前記第１記憶手段が記憶する前記単価は、地域別に設けられている請求項１に記載の森林施業提案装置。
【請求項３】
前記入力手段により森林施業に関する補助金の金額が入力されている場合、前記算出手段は、前記補助金の金額と、前記売上金額との合計金額を算出し、前記表示手段は、前記合計金額を表示するものである請求項１または請求項２に記載の森林施業提案装置。
【請求項４】
前記入力手段により、森林施業に関する費用に関する数値が入力されている場合、前記表示手段は、前記費用を表示するものである請求項３に記載の森林施業提案装置。
【発明の詳細な説明】
【技術分野】
【０００１】
本発明は、森林施業提案装置に関する。
【背景技術】
【０００２】
従来から、森林組合、民間事業体、或いは森林施業プランナー（以下、施業提案者という）により、森林の所有者に対して間伐のための森林施業の提案が行われている。
森林施業提案者は、提案を行う前に森林所有者の森林においてプロット調査を行って、樹種の調査、並びに樹高、立木の本数、胸高直径等の測定を行い、この調査及び測定結果に基づいて、前記森林所有者の森林における間伐本数を算出している。そして、森林施業提案者は、間伐材を販売した場合に得られる売上、及び間伐に対する補助金等の収入と、間伐に必要な事業費とを森林所有者に提案するようにしている。
【０００３】
なお、この種の森林施業における提案装置を、国際分類Ｇ０６Ｆ１７／６０、Ａ０１Ｇ２３／００を掛け合わせて調査したが、関連する先行技術は見あたらなかった。
【発明の概要】
【発明が解決しようとする課題】
【０００４】
従来、森林施業提案者は、森林施業の提案内容を書面に印刷した上で、森林の所有者に対して提案するようにしている。このため、森林所有者が、間伐材の本数を変更したい場合には、その都度、提案書類を再作成して、再印刷する必要があり、森林所有者に提案内容の変更による迅速な再提案をできない問題があった。
【０００５】
本発明の目的は、上記課題を解決して、森林施業の提案内容に変更がある場合に、迅速に森林所有者に再提案できる森林施業提案装置を提供することにある。
【課題を解決するための手段】
【０００６】
上記問題点を解決するために、本発明の森林施業提案装置は、樹種毎の材積式、または樹種毎の材積テーブル、前記樹種毎の材積に関する間伐材の単価を記憶する第１記憶手段と、顧客所有の森林に対するプロット調査で得られた立木の本数、直径、樹高を含むプロット調査データ、並びに前記顧客所有の間伐対象の森林面積を入力する入力手段と、前記プロット調査データ及び前記森林面積を記憶する第２記憶手段と、前記プロット調査データと、前記森林面積と、前記材積式または材積テーブルに基づく材積と、前記単価に基づいて前記顧客所有の森林における間伐材による売上金額を算出する算出手段と、前記算出手段が算出した売上金額を表示する表示手段とを備え、前記入力手段により、前記顧客所有の森林における間伐材の本数が修正された場合、前記算出手段は、修正後の間伐材の本数に基づいて、前記売上金額を修正し、前記表示手段は、修正後の売上金額を表示するものである。
【０００７】
また、前記第１記憶手段が記憶する前記単価は、地域別に設けられていることが好ましい。
また、前記入力手段により森林施業に関する補助金の金額が入力されている場合、前記算出手段は、前記補助金の金額と、前記売上金額との合計金額を算出し、前記表示手段は、前記合計金額を表示するものであることが好ましい。
【０００８】
また、前記入力手段により、森林施業に関する費用に関する数値が入力されている場合、前記表示手段は、前記費用を表示するものであることが好ましい。
【発明の効果】
【０００９】
本発明によれば、森林施業の提案内容に変更がある場合に、迅速に森林所有者に再提案できる効果を奏する。
【図面の簡単な説明】
【００１０】
【図１】一実施形態の森林施業提案装置のブロック図。
【図２】森林施業提案装置の表示装置における画面の説明図。
【図３】森林施業提案装置の表示装置における画面の説明図。
【図４】森林施業提案装置の表示装置における画面の説明図。
【図５】森林施業提案装置の表示装置における画面の説明図。
【図６】森林施業提案装置の表示装置における画面の説明図。
【図７】森林施業提案装置の表示装置における画面の説明図。
【図８】森林施業提案装置の表示装置における画面の説明図。
【図９】森林施業提案装置の表示装置における画面の説明図。
【図１０】森林施業提案装置の表示装置における画面の説明図。
【図１１】森林施業提案装置の表示装置における画面の説明図。
【図１２】データベースの説明図。
【発明を実施するための形態】
【００１１】
以下、本発明の森林施業提案装置を具体化した一実施形態を図１〜図１１を参照して説明する。
森林施業提案装置１０は、携帯情報端末装置である。本実施形態では、例えば、森林施業提案装置１０を、図示しない本体が平板状をなすタブレットコンピュータにて構成されている。森林施業提案装置１０は、森林施業提案者が森林所有者に対して森林施業を提案する際に使用される。
【００１２】
図１に示すように、森林施業提案装置１０の前記本体内には、プロセッサ１２、ＲＯＭ１４、ＲＡＭ（Ｒａｎｄｏｍ  Ａｃｃｅｓｓ  Ｍｅｍｏｒｙ）１６、タッチパネルコントローラ１８、記憶装置２０、及びデータベース２２が設けられている。また、前記本体の正面に液晶表示装置等からなる表示装置２４と、前記表示装置２４の表示面に設けられたタッチパネルセンサ２６を備える。また、前記本体には、無線部２８、及び外部機器インターフェース３０を備える。ＲＯＭ１４は、この装置のシステムプログラム等が記憶されている。また、ＲＡＭ１６は、プロセッサ１２が各種プログラムを実行するときの可変的なデータを一時的に記憶するための作業用メモリである。前記プロセッサ１２は、算出手段に相当する。
【００１３】
タッチパネルコントローラ１８は、前記表示装置２４に対する画面表示を制御する。また、タッチパネルコントローラ１８は、前記表示装置２４の表示面に重ねて配置されたタッチパネルセンサ２６の入力信号に基づいて表示面上のタッチ位置座標を検出する。タッチパネルセンサ２６は、入力手段に相当する。前記表示装置２４は表示手段に相当する。
【００１４】
記憶装置２０には、森林施業提案プログラム等の各種プログラムが格納されている。また、記憶装置２０には、タッチパネルセンサ２６から入力された各種データが記憶されている。記憶装置２０は第２記憶手段に相当する。
【００１５】
データベース２２は、図１２に示すように、地域別及び樹脂毎の材積テーブル２２Ａを有する。材積テーブル２２Ａは、間伐材の樹高と直径（すなわち、胸高直径、以下同じ）のそれぞれの値に対応して作成された材積のマトリクスである。
【００１６】
説明の便宜上、図１２では、Ａ地域とＢ地域のそれぞれにおいてヒノキ、カラマツ、エゾマツに関する材積テーブルが図示されている。しかし、これらは一例が示されているだけである。勿論、樹種はヒノキ、カラマツ、エゾマツに限定されるものではなく、データベース２２はヒノキ、カラマツ、エゾマツ以外の他の樹種の材積テーブルを備えているものと理解されたい。また、データベース２２はＡ、Ｂ地域以外の他の複数の地域別及び樹種毎に材積テーブルを有するものと理解されたい。
【００１７】
また、データベース２２は、各地域別に樹種毎の材積に対する単価表２２Ｂを有する。また、また、図１２で示されている単価表はＡ地域及びＢ地域における樹種毎の単価表が示されているが、Ａ地域及びＢ地域以外の他の地域における樹種毎の単価表も有するものと理解されたい。データベース２２は第１記憶手段に相当する。
【００１８】
前記無線部２８は、図示しない外部の無線基地局との間で、無線通信送信されるデータを受信する。また、前記外部機器インターフェース３０は、例えばＵＳＢ規格のキーボード、プリンタ、メモリ等を着脱自在に接続可能である。外部機器インターフェース３０は、前記接続された機器との間でデータを授受する。例えば、前記キーボードを前記外部機器インターフェース３０に接続することにより各種データを予め記憶装置２０に記憶することも可能である。この場合、前記キーボードに接続される外部機器インターフェース３０、及び無線部２８はそれぞれ入力手段に相当する。
【００１９】
（実施形態の作用）
上記のように構成された、森林施業提案装置１０の作用を説明する。
森林施業提案者は、森林所有者の森林について、プロット調査を予め行っている。本プロット調査は、１０ｍ×１０ｍの調査域を１つのサークルとして３つのサークルを調査したものである。なお、プロット調査のサークルの大きさは、１０ｍ×１０ｍに限定するものではない。また、サークル数は、適宜変更してもよい。
【００２０】
前記プロット調査により、プロット調査の調査日、林齢、樹種、プロット調査域での立木の本数、立木密度、ｈａ当たりの立木の本数、プロット調査域での各立木の直径、プロット調査域での各立木の樹高、プロット調査域の写真等が得られる。
【００２１】
ここで、前記プロット調査域での立木の本数、樹高、直径はプロット調査データに相当する。また、前記プロット調査域の面積も前記プロット調査データに含まれている。
森林施業提案者は、前記プロット調査で得られた各種データ並びに前記プロット調査に付随して得られた各種データを、前記外部機器インターフェース３０にキーボード、メモリ等を接続して、これらを使用して記憶装置２０に格納しておく。
【００２２】
前記プロット調査に付随して得られた各種データは、森林所有者名、施業対象の森林所在地、林小班、提案面積、作業直接経費、事業費、補助金の金額等がある。なお、これらのプロット調査に付随して得られた各種データは、記憶装置２０にマスタとして記憶される。ここで、前記提案面積は、顧客所有の間伐対象の森林面積に相当する。
【００２３】
図２〜図１１は、森林施業提案装置１０のプロセッサ１２により、森林施業提案プログラムが起動されて、表示装置２４で閲覧可能な画面Ｇ２〜Ｇ１１である。表示装置２４の表示面上でスワイプ、或いはフリックの操作がされると、タッチパネルセンサ２６がそれらの操作を検出することにより、前記プロセッサ１２は前記画面Ｇ２〜Ｇ１１を遷移する。
【００２４】
図２は、「森林管理作業とご精算までの流れ」の画面Ｇ２である。図２の画面Ｇ２は、森林施業提案が行われる場合の手順４０が示されている。前記手順４０は、地域の森林状況把握、地域説明会、所有者との協議、森林経営計画、集約的作業計画、サンプル調査、提案型見積書作成、森林所有者への提案営業、契約成立、作業実施、生産・支払、作業情報整理の順である。また、前記画面Ｇ２には、前記記憶装置２０に記憶された森林所有者の森林の写真４２が表示される。なお、図２の画面Ｇ２並びに以下の各図の画面Ｇ３〜Ｇ１１で表示される写真、各種データは、予め入力されて、当該森林所有者と関連付けられて前記記憶装置２０に記憶されたものである。
【００２５】
図３の画面Ｇ３は、図２の画面Ｇ２の手順４０において、地域の森林状況把握の表示領域がタップ操作により選択された結果、タッチパネルセンサ２６のタップ操作の検出に基づいてプロセッサ１２が表示装置２４の表示面に表示したものである。図３の画面Ｇ３により、森林所有者の間伐対象の領域の位置を示す地図４４、同森林の間伐対象の領域の現状写真４６が提示される。
【００２６】
また、前記画面Ｇ３により、前記記憶装置２０から読み出されて森林所有者名４８、森林所在地５０、林小班５２、調査日５６が提示される。
また、前記画面Ｇ３により、林齢５８、提案面積６０、樹種６２、立木密度６４、提案面積における立木本数６６、提案面積における立木材積６８、平均直径７０、平均樹高７２、及び形状比７４が提示される。
【００２７】
なお、前記平均直径は、プロット調査域での各立木の直径を、プロセッサ１２が平均処理したものである。
また、前記平均樹高は、プロット調査域での各立木の樹高を、プロセッサ１２が平均処理したものである。
【００２８】
なお、林小班は、林班を細分化したものであり、樹種や林齢（木の年齢）によって、区分けされたものである。調査日５６は、プロット調査が行われた日である。
また、立木密度６４は、プロセッサ１２により、プロット調査域での立木本数と、プロット調査域の面積に基づいて算出された値である。
【００２９】
また、提案面積における立木本数６６は、プロセッサ１２により、プロット調査域での立木本数に対して、（提案面積）／（プロット調査域の面積）が乗算された値である。
また、前記立木材積は、プロセッサ１２により、プロット調査域の所属地域、樹種、平均直径、平均樹高に基づいて材積テーブル２２Ａから材積が算出され、この材積に（提案面積）／（プロット調査域の面積）が乗算された値である。
【００３０】
また、形状比７４は、プロセッサ１２により、（平均樹高）／（平均直径）が算出された値である。
図４の画面Ｇ４は、図２の手順４０において、森林所有者への提案営業の表示領域がタップ操作により選択された結果、タッチパネルセンサ２６がそのタップ操作を検出してプロセッサ１２が表示装置２４の表示面に表示したものである。
【００３１】
図４に示すように、この画面Ｇ４の状況判断の表示領域７８には、前記プロット調査によって得られた森林所有者の森林の状況の説明が記述されている。また、この画面Ｇ４の施業提案の表示領域８０には、前記森林の状況を改善するための好適な森林施業内容の説明が記述されている。
【００３２】
図５の画面Ｇ５は、図４の表示装置２４の表示面上でスワイプ、或いはフリックの操作がされた場合、タッチパネルセンサ２６がその操作を検出してプロセッサ１２が次ページに遷移した画面であって、森林施業内容の提案内容が表示される。
【００３３】
図５の画面Ｇ５には、具体的には、保育間伐の面積の欄８２、利用間伐の面積の欄８４、林業専用道の長さの欄８６、及び森林作業道の長さの欄８８には、予め入力されて記憶装置２０にマスタとして記憶したデータが提示される。
【００３４】
これらの欄には、入力時に森林所有者名及びこれらの欄に関連する項目に対してそれぞれ関連付けられた数値が入力される。なお、これらの欄において、数値０.００（または０）が表示されている場合は、具体的な数値、すなわち、０以外の正の数値の入力がされていない場合であって、デフォルトの値である０が表示される。
【００３５】
図６の画面Ｇ６は、図５の表示装置２４の表示面上で、利用間伐の面積の欄８４がタップ操作された場合に、タッチパネルセンサ２６がその操作を検出してプロセッサ１２が遷移したものである。同図に示すよう、利用間伐する立木に関する提案内容が提示される。
【００３６】
図６の棒グラフ９０はプロット調査域における立木の直径毎の立木本数を示している。すなわち、横軸は立木の直径、縦軸はその直径を有する立木の本数である。棒グラフ９０中、点ハッチング（すなわち、網掛け）は、間伐対象の立木を示している、また、斜線ハッチングは、間伐対象としていない立木を示している。間伐対象とする立木の本数は、予め提案者により入力手段を介して設定されている。
【００３７】
図６の画面Ｇ６には、利用間伐率（本数）欄９２、利用間伐率（材積）欄９４、立木材積欄９６、利用間伐量欄９８、一本からの採材率欄１００、現場からの搬出率欄１０２、販売可能量欄１０４の欄がある。
【００３８】
利用間伐率（本数）欄９２は、前述した間伐対象の立木本数と、間伐対象としていない立木本数との比率を示す欄である。プロセッサ１２は、前記間伐対象の立木本数と間伐対象としていない立木本数とに基づいて、森林施業提案プログラムに従って自動的に算出して、その結果を利用間伐率（本数）欄９２に表示する。
【００３９】
一本からの採材率及び現場からの搬出率は、それぞれ提案者が予め入力しておいた値であり、記憶装置２０に格納されている。図６の画面Ｇ６を生成する際に、プロセッサ１２は、森林施業提案プログラムに従い、これらの値を記憶装置２０から読み出して採材率欄１００及び搬出率欄１０２で表示する。
【００４０】
立木材積欄９６の値は、図３の立木材積６８と同じ数値、すなわち、提案面積における立木材積であって、プロセッサ１２が立木材積６８と同様に算出することにより得られる。
【００４１】
利用間伐量欄９８の値は、提案面積における間伐対象の立木の合計材積である。プロセッサ１２は、プロット調査域における間伐対象の立木の材積の合計値を提案面積に比例演算してこの値を求める。
【００４２】
また、利用間伐率（材積）欄９４の値については、プロセッサ１２は、利用間伐量欄９８の値を立木材積欄９６の値で除算することにより求める。
販売可能量欄１０４の値は、プロセッサ１２が利用間伐量欄９８の値に対して、採材率欄１００の率、及び搬出率欄１０２の率をそれぞれ乗算することにより求められる。
【００４３】
図７にの画面Ｇ７は間伐対象の立木の本数を変更したい場合の一例が示されている。
図６に示す状態で、間伐本数を変更する場合、変更したい立木の棒グラフの棒をタップすると、図７の画面Ｇ７に示すように、タップされた棒グラフの棒が拡大表示される。
【００４４】
図７の画面Ｇ７の例では、拡大表示された棒グラフの棒において、間伐本数の領域と間伐されない本数の領域の境界線１１０が上または下へドラッグされると、プロセッサ１２は、タッチパネルセンサ２６の検出に応じて境界線１１０をドラッグの方向に移動させる。この移動により、間伐本数の領域が増減する。すなわち、本実施形態では、境界線１１０が上にドラッグされると、間伐本数が減少し、下にドラッグされると、間伐本数が増加する。
【００４５】
なお、全部が間伐対象となっていない立木の少なくとも一部を間伐対象に変更する場合は、棒グラフの棒を拡大表示した状態で、棒グラフの棒の頂点を下へドラッグすると、境界線が出現するようにされている。この境界線を所望の本数分下へドラッグすると、当該立木の間伐本数を選択できる。
【００４６】
また、全部が間伐対象となっている立木の少なくとも一部を間伐対象としない場合は、棒グラフの棒を拡大表示した状態で、棒グラフの棒の基部を上へドラッグすると、境界線が出現するようにされている。この境界線を所望の本数分上へドラッグすると、当該立木の間伐本数を選択できる。
【００４７】
前述のドラッグにより、間伐本数が変化すると、プロセッサ１２は、利用間伐率（本数）欄９２、利用間伐率（材積）欄９４、利用間伐量欄９８、販売可能量欄１０４の各値を再算出して、各欄に表示する。
【００４８】
図８の画面Ｇ８は、図２の森林所有者への提案営業をタップ操作で選択した後の表示された画面を、さらにスワイプまたはフリックを複数回行った場合に遷移した画面であって、間伐のシミュレーションの内容が表示される。
【００４９】
図８に示すように、この画面Ｇ８では、前記プロット調査で取得した写真画像に対して、前記最初に提案した初期値の間伐本数に合った立木を間引くように森林施業提案者が画像処理を行った画像１１２が表示される。なお、前記画像処理後の画像は、予め記憶装置２０に記憶されて、この画面Ｇ８の作成時に読み出される。
【００５０】
また、現状の材積の欄１１４には、前述の図６の立木材積欄９６と同じ値がプロセッサ１２により表示される。また、直後の材積の欄１１６には、図６の立木材積欄９６の値から、利用間伐量欄９８の値を引いた値の材積の数値がプロセッサ１２により表示される。また、５年後の材積の欄１１８には、欄１１６の値に、記憶装置２０に予め記憶された係数を乗算した値が表示される。なお、前記係数は、各都道府県の幹材積成長量に基づいて算出されたものである。
【００５１】
図９の画面Ｇ９は、例えば、図８の画面Ｇ８上で、スワイプまたはフリックを行った場合に遷移した画面であって、路網に関する提案が表示される。
図９に示すように、画面Ｇ９には、当該森林施業を行う場合に必要な路網延長の長さの欄１２０、及び地図１２１が提示される。欄１２０に表示される値は、予め記憶装置２０にマスタとして記憶されたデータである。また、地図１２１は、図３の地図４４と同一のものである。また、図９に示すように、画面Ｇ９には、林業専用道の延長長さと、その延長工事のｍ当たりの単価を表示する欄１２２が表示される。本実施形態では、林業専用道の延長の必要がないため、延長長さ及び単価をそれぞれ０として表示されている。
【００５２】
なお、林業専用道の延長が必要な場合には、記憶装置２０にその延長長さ、及び単価がマスタとして記憶されていて、画面Ｇ８の作成時に読み出されて表示される。
また、図９の画面Ｇ９に示すように、欄１２２の下には、林業専用道の写真１２４が表示される。この写真１２４は、予めマスタとして記憶装置２０に記憶されたデータである。
【００５３】
また、図９の画面Ｇ９には、森林作業道の延長長さと、その延長工事のｍ当たりの単価を表示する欄１２６が表示される。本実施例では、森林作業道の延長長さが必要であるため、延長長さ及びその単価が表示されている。
【００５４】
森林作業道の延長が必要な場合には、記憶装置２０にその延長長さ、及び単価がマスタとして記憶されている。また、図９の画面Ｇ９に示すように、欄１２６の下には、森林作業道を作った場合のシミュレーションの画像１２８が表示される。この画像１２８は、予めマスタとして記憶装置２０に記憶されたデータである。
【００５５】
図１０の画面Ｇ１０は、例えば、図９の画面Ｇ９上で、スワイプまたはフリックを行った場合に遷移した画面であって、仮契約を行うための署名欄１３０を有する。
この署名欄１３０内で契約者がサインをすると、プロセッサ１２はタッチパネルセンサ２６から検出信号に基づいて前記サインの軌跡に沿った線を署名欄１３０内で生成する。そして、署名欄１３０内にサインが表示された状態で、画面Ｇ１０に表示されている仮契約ボタン１３４をタッチすると、プロセッサ１２は、仮契約上でサインがされたものとしてこのサインの画像データを、記憶装置２０に記憶させる。また、署名欄１３０内にサインが表示された状態で、画面Ｇ１０に表示されている仮契約解除ボタン１３２をタッチすると、プロセッサ１２は、サインの画像データを画像上から消去する。
【００５６】
図１１の画面Ｇ１１は、例えば、画面Ｇ１０上で、スワイプまたはフリックを行った場合に遷移した画面であって、森林施業を行った場合の還元額、または請求額を森林所有者に対して説明するためのものである。
【００５７】
図１１の画面Ｇ１１には、想定される売上金額欄１３６、想定される事業費欄１３８、見込まれる補助金の金額欄１４０、見込み損益欄１４２及び仮契約で行われた署名表示欄１４４を有する。
【００５８】
売上金額欄１３６の売上金額は、プロセッサ１２が図６の画面Ｇ６で説明した販売可能量欄１０４の販売可能量（材積）に対して、地域別及び樹種毎のデータベース２２の単価表２２Ｂで得られる単価を乗算したものである。なお、売上金額を算出する場合には、提案者はどの地域別及びどの樹脂の単価表２２Ｂを使用するかを予め設定しておくものとする。
【００５９】
事業費欄１３８の事業費は、プロセッサ１２が図９の画面Ｇ９の欄１２２の林業専用道の延長工事、森林作業道の延長工事等の工事費用、並びに、記憶装置２０に記憶されている作業直接経費等をマスタから読みだして合計した値である。前記事業費は費用に相当する。
【００６０】
補助金の金額欄１４０の数値は、プロセッサ１２が記憶装置２０のマスタから読み出した補助金の金額の値である。
見込み損益欄１４２の数値は、売上金額欄１３６の金額と補助金の金額欄１４０の金額の合計金額から、事業費欄１３８の金額を、プロセッサ１２が減算した値である。
【００６１】
上記のようにして、森林施業提案者は、森林所有者に対し森林施業提案装置１０の画面Ｇ２〜Ｇ１１を使用して、森林施業の提案が行うことができる。
本実施形態の森林施業提案装置１０では、下記の特徴を有する。
【００６２】
（１）森林施業提案装置１０は、樹種毎の材積式、または樹種毎の材積テーブル、前記樹種毎の材積に関する間伐材の単価を記憶するデータベース２２（第１記憶手段）を有する。また、森林施業提案装置１０は、顧客所有の森林に対するプロット調査で得られた立木の本数、直径、樹高を含むプロット調査データ、並びに前記顧客所有の間伐対象の森林面積を入力する無線部２８、外部機器インターフェース３０、タッチパネルセンサ２６（入力手段）を有する。また、森林施業提案装置１０は、入力された前記プロット調査データ及び前記森林面積を記憶する記憶装置２０（第２記憶手段）を有する。また、森林施業提案装置１０は前記プロット調査データと、前記顧客所有の間伐対象の森林面積（提案面積）と、材積テーブル、単価を使用して顧客所有の森林における間伐材による売上金額を算出するプロセッサ１２（算出手段）を有する。森林施業提案装置１０は、前記売上金額を表示する表示装置２４（表示手段）を備える。
【００６３】
そして、タッチパネルセンサ２６（入力手段）により、前記顧客所有の森林における間伐材の本数が修正された場合、プロセッサ１２（算出手段）は、修正後の間伐材の本数に基づいて、前記売上金額を修正する。また、表示装置２４（表示手段）は、修正後の売上金額を表示する。
【００６４】
この結果、本実施形態によれば、森林施業の提案内容に変更がある場合に、迅速に森林所有者に再提案できる効果を奏する。従来は、森林所有者が、間伐材の本数を変更したい場合には、森林施業提案者はその都度、提案書類を再作成して、再印刷する必要があり、提案内容の変更による迅速な再提案ができない問題があった。本実施形態によれば、森林施業提案者は、その場で提案する間伐本数の変更を行うことができ、そのことによる売上金額の変更も即座に行うことができる。
【００６５】
（２）本実施形態の森林施業提案装置１０では、データベース２２（第１記憶手段）が記憶する前記単価は、地域別に設けられている。この結果、本実施形態によれば、地域別毎に異なる単価に基づいて、間伐材による売上金額を提示することができる。
【００６６】
（３）本実施形態の森林施業提案装置１０では、タッチパネルセンサ２６、無線部２８、外部機器インターフェース３０（入力手段）により森林施業に関する補助金の金額が入力されている場合、プロセッサ１２（算出手段）は、補助金の金額と、売上金額との合計金額を算出する。そして、表示装置２４（表示手段）は、前記合計金額を表示する。この結果、本実施形態によれば、間伐材による売上金額のみならず、補助金の金額による収入も合わせて表示できるため、森林施業推進の原動力となりえる。
【００６７】
（４）本実施形態の森林施業提案装置１０では、タッチパネルセンサ２６、無線部２８、外部機器インターフェース３０（入力手段）のいずれかにより森林施業に関する費用に関する数値が入力されている場合、表示装置２４（表示手段）は前記費用を表示する。
【００６８】
この結果、本実施形態によれば、森林施業に必要な諸経費も表示されるため、森林施業によるコストも森林所有者は、即座に知ることができる。
なお、本発明の実施形態は前記実施形態に限定されるものではなく、下記のように変更しても良い。
【００６９】
・前記実施形態では、森林施業提案装置１０を、タブレットコンピュータで構成したが、この構成に限定されるものではなく、ノート型パソコンにて構成してもよい。この場合、前記実施形態では、画面の操作をタッチ操作により行ったが、画面の操作をキーボード操作、或いは、マウス操作により行うようにしてもよい。
【００７０】
・前記実施形態では、データベース２２は、材積テーブル２２Ａを有するようにしたが、材積テーブル２２Ａの代わりに、地域別及び樹種毎に材積を算出する材積式で算出するようにしてもよい。この場合、地域別にかつ樹種毎に異なる材積式を記憶装置で記憶するようにしておき、地域、樹種が選択されると、それに対応した材積式が選択される。そして、樹高及び直径が入力されると、プロセッサ１２は、選択された材積式によりこれらのデータに基づいて、材積を算出する。
【００７１】
・前記実施形態において、前記単価表を直材用と、曲材用で仕分け、プロット調査域での間伐材の売上を直材用の単価表及び曲材用の単価表を使用して、売上を算出するようにしてもよい。
【００７２】
・また、材質のよいものを高くするようにランク付けした単価表を使用してもよい。
・前記実施形態では、間伐対象の立木の本数を変更したい場合の一例が示したが、間伐対象の立木を選択し直す場合も同様に、選択したい立木の棒グラフの棒をタップ操作して選択してもよい。
【符号の説明】
【００７３】
１０…森林施業提案装置、１２…プロセッサ（算出手段）、１４…ＲＯＭ、
１６…ＲＡＭ、１８…タッチパネルコントローラ、
２０…記憶装置（第２記憶手段）、２２…データベース（第１記憶手段）、
２２Ａ…材積テーブル、２２Ｂ…単価表、２４…表示装置（表示手段）、
２６…タッチパネルセンサ（入力手段）、２８…無線部（入力手段）、
３０…外部機器インターフェース（入力手段）、４０…手順、４２…写真、
４４…地図、４６…現状写真、４８…森林所有者名、５０…森林所在地、
５２…林小班、５６…調査日、５８…林齢、６０…提案面積、６２…樹種、
６４…立木密度、６６…立木本数、６８…立木材積、７０…平均直径、
７２…平均樹高、７４…形状比、７８…表示領域、８０…表示領域、
８２…保育間伐の面積の欄、８４…利用間伐の面積の欄、
８６…林業専用動道の長さの欄、８８…森林作業道の長さの欄、
９０…棒グラフ、９２…利用間伐率（本数）欄、
９４…利用間伐率（材積）欄、９６…立木材積欄、９８…利用間伐量欄、
１００…一本からの採材率欄、１０２…現場からの搬出率欄、
１０４…販売可能量欄、１１２…画像、１１４…現状の材積の欄、
１１６…直後の材積の欄、１１８…５年後の材積の欄、
１２０…路網延長の長さの欄、１２１…地図、１２２…単価を表示する欄、
１２４…写真、１２６…ｍ当たりの単価を表示する欄、１２８…画像、
１３０…署名欄、１３２…仮契約解除ボタン、１３４…仮契約ボタン、
１３６…売上金額欄、１３８…事業費欄、１４０…補助金の金額欄、
１４２…見込み損益欄、１４４…署名表示欄。
【図１】
2015219694.tif 000003
【図２】
2015219694.tif 000004
【図３】
2015219694.tif 000005
【図４】
2015219694.tif 000006
【図５】
2015219694.tif 000007
【図６】
2015219694.tif 000008
【図７】
2015219694.tif 000009
【図８】
2015219694.tif 000010
【図９】
2015219694.tif 000011
【図１０】
2015219694.tif 000012
【図１１】
2015219694.tif 000013
【図１２】
2015219694.tif 000014